(57)【要約】【課題】簡易的に挟み込まれる複数の紙葉や書類の嵩張りや紙ズレ現象を防止する金属線材からなるＵ型ゼムクリップの提供を図る。【解決手段】弾性を有する１本の金属線材をエンドレス状に連接してなるＵ型ゼムクリップであって、前記Ｕ型ゼムクリップは折曲することによって略Ｕ字状を形成する上面狭持部と背面狭持部とを所定間隔を有する二つの支承折り返し部で連結して成り、前記支承折り返し部を前記上面狭持部と前記背面狭持部とが形成する水平面に対して垂直方向に折り返し、前記上面狭持部と該上面狭持部に対して相似形状を形成すると共に、略Ｕ字状の先端部を内側に形成して前記上面狭持部に付勢する前記背面狭持部と、を段差状に設けて成り、前記上面狭持部と前記背面狭持部との二面で紙葉の裏表面を狭持すると共に、前記支承折り返し部を紙葉の端部に突き当てて二点支持することで簡易的に狭持される紙葉が安定的に保持される構成を採用した。【選択図】図１
2011152806.tif 000002
【特許請求の範囲】
【請求項１】
弾性を有する１本の金属線材をエンドレス状に連接してなるＵ型ゼムクリップであって、
前記Ｕ型ゼムクリップは、
折曲することによって略Ｕ字状を形成する上面狭持部と、背面狭持部と、を、
所定間隔を有する二つの支承折り返し部で連結して成り、
前記支承折り返し部を、前記上面狭持部と前記背面狭持部とが形成する水平面に対して垂直方向に折り返し、
前記上面狭持部と、
該上面狭持部に対して相似形状を形成すると共に、
略Ｕ字状の先端部を内側に形成して前記上面狭持部に付勢する前記背面狭持部と、
を段差状に設けて成り、
前記上面狭持部と前記背面狭持部との二面で紙葉の裏表面を狭持すると共に、
前記支承折り返し部を紙葉の端部に突き当てて二点支持することで、
簡易的に狭持される紙葉が安定的に保持されることを特徴とするＵ型ゼムクリップ。
【請求項２】
前記支承折り返し部を、前記上面狭持部と前記背面狭持部が形成する水平面に対して水平方向に折り返し、
前記上面狭持部と、
該上面狭持部に対して内包して相対的に小さく設けられる前記背面狭持部と、
を同一平面上に設けて成ることを特徴とする請求項１記載のＵ型ゼムクリップ。
【請求項３】
前記背面狭持部の先端部を、二つの前記支承折り返し部の間を抜けて後方に折り返し、
該折り返した端部に括れ部を有する円環部を設けたことを特徴とする請求項１または請求項２記載のＵ型ゼムクリップ。
【請求項４】
前記所定間隔Ｌをバインダーの綴じ込みロッドの略寸法幅に延長したことを特徴とする請求項１のＵ型ゼムクリップ。
【請求項５】
前記所定間隔Ｌをバインダーの綴じ込みロッドに挿入可能に延長した二つの支承折り返し部に括れ部を有する円環部を設けたことを特徴とする請求項４のＵ型ゼムクリップ。
【請求項６】
前記背面狭持部又は前記上面狭持部の略Ｕ字状の先端部を外側方向に傾斜させることによって、
前記上面狭持部と前記背面狭持部との間に形成される差し込み隙間の入り口を拡張させたことを特徴とする請求項１から請求項５の何れか記載のＵ型ゼムクリップ。
【請求項７】
前記上面狭持部の折曲形状を自由形状とすると共に、
前記背面狭持部の折曲形状を前記上面狭持部の内側に近接させ、相対的に小さく設けられる任意形状に形成したことを特徴とする請求項１または請求項２記載のＵ型ゼムクリップ。
【発明の詳細な説明】
【技術分野】
【０００１】
本発明は、複数の紙葉または書類を簡易的に挟み込む金属線材からなるＵ型ゼムクリップに関する。
【背景技術】
【０００２】
従来より、複数の紙葉または書類を簡易的に挟み込む方法は、金属針や穴の紙片を用いたホッチキスや、金属製のバネ板クリップに折り畳み用のハンドルを設けたターンクリップや、替玉クリップを連続的に押し出すデュアルクリップや、バネ式の把持部が大形の目玉クリップならびに山形クリップや、樹脂製ならびに針金製の紙クリップなどによる綴じ込み方法が採られている。
【０００３】
しかしながら、上記のホッチキスによる方法においては、金属針または穴の紙片によって簡単に綴じ込むことができる反面、紙葉または書類に針穴や穴の紙片の跡がついたりするもので、特に金属針の場合は、廃棄時に綴じられた状態でシュレッターにかけることができないため、綴じている金属針を一旦取り除き、再びシュレッターにかけるなどの二重の手間を必要とし、さらにそのまま廃棄した場合は、環境問題や再生紙処理費用のコスト高を招くものであった。
【０００４】
また、ダブルクリップとも呼ばれるターンクリップによる方法においては、折り畳み用のハンドルが付いている金属製のバネ板クリップで紙葉または書類を挟み込むもので、狭持時はハンドルを伸ばしてクリップを開閉し、収納時はハンドルを折り畳んで紙葉または書類を挟み込んで収納するものではあるが、ターンクリップ自体の厚みがあるためファイルなどに綴じ込む場合は、紙葉または書類が嵩張る状態で綴じ込まれるものであった。
【０００５】
また、替玉クリップを連続的に押し出すデュアルクリップによる方法においては、専用のクリップ器で替玉クリップを押し出して紙葉または書類を挟み込むもので、替玉クリップ自体は差程厚みがあるものではないが、使用時においては常に専用のクリップ器を必要とするため汎用性ならびに常用性に欠ける問題があった。
【０００６】
また、バネ式の把持部が大形の目玉クリップならびに山形クリップによる方法においては、100〜数百枚単位の紙葉または書類を挟み込むことができるが、バネ式の把持部が大形であるためファイルやバインダーなどには挟み込んだ状態で綴じ込むことができないものであった。
【０００７】
一方、紙クリップによる挟みこむ方法は、樹脂製のゼムクリップならびに針金製のゼムクリップが広く普及している。
【０００８】
その樹脂製のゼムクリップにおいては、使い回しができる、狭持力が強い、カラフルである、狭持形状が多彩などの長所はあるが、商品単価が高価なことや、強度を維持するための一定の板厚を必要とするもので、書類をやり取りする状態で使用する場合には問題ないが、ファイルなどに綴じ込む場合には、樹脂製のゼムクリップ自体が綴じ込まれる紙葉または書類より嵩張りがちになる欠点があった。
【０００９】
また、針金製のゼムクリップにおいては、簡易構造である、嵩張らない、商品単価が廉価である、使い回しができるなどの長所があるが、狭持力が弱い、形状が単純である、大量枚数の紙葉または書類を狭持することができないことや、図１０に示すようなゼムクリップ自体が狭持した状態で回ってしまう、紙ズレ現象を起こすなどの問題点があるものであった。
【００１０】
一方、これまでに改善されてきた針金製のゼムクリップとしては、例えば、「クリップ」（特許文献１）が提案されているが、該提案は、クリップの先端部に位置する斜方直線部を上方に折り曲げてクリップの差し込みを容易にしたものであるが、図１０に示すようなクリップ自体が狭持した状態で回転したり、厚みのある紙葉または書類を狭持した場合にクリップ自体が変形して紙ズレ現象を起こしたりする問題を解決するものではなかった。
【００１１】
従来より上記の問題点を解決しようとする針金製のゼムクリップが提案されている。例えば、「線状材製の紙クリップ」（特許文献２）が提案されているが、該提案は、左右の側椀部の第三の折曲点を書類の端部に引っ掛けて中央部の折曲点を書類に差し込む際、左右の側椀部が別個に作動するため左右均等に力を加えなければならず、さらに左右の側椀部の第２，第３の辺部分と中央部の直線部分の４本の線材を反らして紙葉または書類に差し込なければならないことから、大きな指先の力を必要とする問題点があるもので、またさらに左右の側椀部の第２，第３の辺部分と中央部の直線部分が隣接して隙間がないため、複数枚の厚みのある紙葉または書類を狭持することができない構造であった。
【００１２】
また、「クリップ」（特許文献３）は、狭持部１と狭持部２が形成する平面状の拡幅部で狭持されるものであるが、該狭持部１と狭持部２が同一平面上にないため狭持力が弱く、紙葉を挟み込んで保存する場合は、折曲金属線材同士が重なってその分嵩張る欠点や両端の直線部が開放されているため、クリップ自体の保管時にクリップ同士が絡まる問題があった。
【００１３】
また、「コイルクリップ」（特許文献４）は、コイル部分が嵩張る要因となるためファイルなどに綴じ込む場合は、紙葉または書類が嵩張る状態で綴じ込まれる欠点があるものであり、さらに差し込み時に中央部の狭持部と左右の狭持部の隙間を書類の端部に引っ掛けて綴じ込むことができないものであった。
【００１４】
また、「クリップ」（特許文献５）は、折曲によって幅広に形成された二つの狭持面で安定的に紙葉または書類を綴じ込もうとするものではあるが、全体形状が幅広に形成された二つの狭持面で紙葉または書類を綴じ込む場合は、ある程度の枚数（厚み）がある紙葉または書類を狭持対象とすることが前提とされる（2、3枚のぺらぺらのものでは効果がない）ものであるにも関わらず、折り曲げ部と三連続Ｕ型状紙枠狭持部がＬ型状紙枠狭持部の内側に入り込む構造は、枚数（厚み）が少ない紙葉または書類を対象とする構造であることから、目的と構造が一致する提案ではなかった。
【００１５】
また、「クリップ」（特許文献６）の図６の実施形態においては、表狭持部と裏狭持部の当接部が中央位置の一箇所で連結されているため、挟まれた紙葉または書類が、該当接部を中心に回転する可能性があるものであった。
【００１６】
また、「ハート型ゼムクリップ」（特許文献７）においては、線材の末端部が重なってハート型が形成される平面と同一平面上にないため、紙葉または書類を挟み込んで保存する場合は、線材同士が重なってゼムクリップ自体の厚みが増すことによって全体的に嵩張る欠点があるものであった。
【００１７】
本願発明者は、上記における従来の針金製のゼムクリップの問題点を解決するために、下記に示すゼムクリップ構造に着眼した。
（1）１本の金属線材を使用した引廻し構造。
（2）金属線材の末端部が突き合わされてエンドレス状に成型される絡まり防止構造。
（3）上面狭持部と背面狭持部と二つの折り返し部で構成される安定挟持構造。
（4）上面狭持部と背面狭持部の先端部に差し込み隙間を形成する差し込み構造。
（5）上面狭持部と背面狭持部を同一平面上にした少量枚数挟持構造。
（6）上面狭持部と背面狭持部を段差状にした大量枚数挟持構造。
（7）上面狭持部の外郭形状を自由形状とする面白構造。
【００１８】
本願発明者は、上記の本発明のＵ型ゼムクリップ構造を備えることによって、従来の樹脂製ならびに針金製のゼムクリップの欠点を解決し、さらに両方の長所を備えた金属線材からなるＵ型ゼムクリップを開発し、本出願における「Ｕ型ゼムクリップ」の提案に至るものである。
【先行技術文献】
【特許文献】
【００１９】
【特許文献１】特許第３７７９９８３号公報
【特許文献２】特開２００４-９８６３９号公報
【特許文献３】実開平７-３３６６９号公報
【特許文献４】実用新案登録第３０４９８４８号公報
【特許文献５】特開２００１-１５８１８８号公報
【特許文献６】実用新案登録第２５８３２３６号公報
【特許文献７】実用新案登録第３１５４５１２号公報
【発明の概要】
【発明が解決しようとする課題】
【００２０】
本発明は上記問題点に鑑み、簡易的に挟み込まれる複数の紙葉や書類の嵩張りや紙ズレ現象を防止する金属線材からなるＵ型ゼムクリップの提供を図る。
【課題を解決するための手段】
【００２１】
本発明のＵ型ゼムクリップは、上記目的を達成するためになされるもので、弾性を有する１本の金属線材をエンドレス状に連接してなるＵ型ゼムクリップであって、前記Ｕ型ゼムクリップは、折曲することによって略Ｕ字状に形成される上面狭持部と背面狭持部の末端部を、所定間隔を有する二つの支承折り返し部で連結して成り、前記支承折り返し部を、前記上面狭持部と前記背面狭持部が形成する水平面に対して垂直方向に折り返し、前記上面狭持部と、該上面狭持部に対して相似形状を形成すると共に、略Ｕ字状の先端位置を内側に形成して縮前記上面狭持部方向に付勢する前記背面狭持部と、を段差状に位置付けて成り、前記上面狭持部と前記背面狭持部との二面で紙葉の裏表面を狭持すると共に、前記支承折り返し部を紙葉の端部に突き当てて二点支持することで、簡易的に狭持される紙葉が安定的に保持される手段を採る。
【００２２】
また本発明のＵ型ゼムクリップは、前記支承折り返し部を、前記上面狭持部と前記背面狭持部が形成する水平面に対して水平方向に折り返し、前記上面狭持部と、該上面狭持部に対して内包して相対的に小さく設けられる前記背面狭持部と、を同一平面上に設けて成る手段を採る。
【００２３】
また本発明のＵ型ゼムクリップは、前記背面狭持部の先端部を、二つの前記支承折り返し部の間を抜けて後方に折り返し、該折り返した端部に、括れ部を有する円環部を設けた手段を採る。
【００２４】
また本発明のＵ型ゼムクリップは、前記所定間隔Ｌをバインダーの綴じ込みロッドの略寸法幅に延長した手段を採る。
【００２５】
また本発明のＵ型ゼムクリップは、前記所定間隔Ｌをバインダーの綴じ込みロッドに挿入可能に延長したＵ型ゼムクリップの二つの支承折り返し部に括れ部を有する円環部を設けた手段を採る。
【００２６】
また本発明のＵ型ゼムクリップは、前記背面狭持部又は前記上面狭持部の略Ｕ字状の先端部を外側方向に傾斜させることによって、前記上面狭持部と前記背面狭持部とで間に形成される差し込み隙間の入り口を拡張させた手段を採る。
【００２７】
また本発明のＵ型ゼムクリップは、前記上面狭持部の折曲形状を自由形状とすると共に、前記背面狭持部の折曲形状を前記上面狭持部の内側に近接させ、相対的に小さく設けられる任意形状に形成した手段を採る。
【発明の効果】
【００２８】
本発明に係るＵ型ゼムクリップによれば、１本の金属線材で成型されることにより、材料コストならびに加工コストが廉価である、材料取りの無駄がない、差し込み端面が丸みを帯びている、形状が極めて簡易である、軽量である、何度でも繰り返して使用できるなどの多くの優れた効果を奏する。
【００２９】
また本発明に係るＵ型ゼムクリップによれば、紙葉または書類を上面狭持部と背面狭持部と二つの折り返し部で安定的に挟持される構造であるため、Ｕ型ゼムクリップ自体が狭持した状態で回転したり、紙ズレ現象が起こらないと共に、上面狭持部と背面狭持部で形成する二つの狭持部で交互に狭持するため狭持力の安定性と持続性が図れる優れた効果を奏する。
【００３０】
また本発明に係るＵ型ゼムクリップによれば、上面狭持部と背面狭持部を段差状にすることで、大量枚数の紙葉または書類を挟持することができると共に、該背面狭持部に内側に付勢する反り入れることによって狭持する紙葉または書類の枚数に合わせた狭持力が維持できる優れた効果を奏する。
【００３１】
また本発明に係るＵ型ゼムクリップによれば、金属線材の末端部が突き合わされてエンドレス状に成型されているため、保管時のＵ型ゼムクリップ同士の絡まりを防止することができる優れた効果を奏する。
【００３２】
また本発明に係るＵ型ゼムクリップによれば、上面狭持部と背面狭持部の先端部に差し込み隙間を形成する差し込み構造であるため、紙葉または書類の端部に上面狭持部を引っ掛けて背面狭持部の先端部を紙葉または書類に容易に差し込むことができる優れた効果を奏する。
【００３３】
また本発明に係るＵ型ゼムクリップによれば、Ｕ型ゼムクリップ全体の長さが従来のゼムクリップの1/2〜1/3の大きさのコンパクト形状であるため、紙葉または書類の綴じ込み辺に綴じ込む時、Ｕ型ゼムクリップが紙葉または書類の記載されている文字に掛からない状態で綴じ込むことができる優れた効果を奏する。
【００３４】
また本発明に係るＵ型ゼムクリップによれば、上面狭持部と背面狭持部が同一平面上になるため、少量枚数の紙葉または書類であっても安定的に挟持することができる優れた効果を奏する。
【００３５】
また本発明に係るＵ型ゼムクリップによれば、上面狭持部の外郭形状をハート形やキャラクターの輪郭を模った自由形状とすることで、一般事務用品としての用途の他にメッセージを簡単な形状で表すコミュニケーショングッズとしてや、ノートや書籍の栞としてや、ネクタイ止めや、襟やポケット口に何気なく飾られる針金アクセサリーとしてや、カラー樹脂コーティングを施して低年齢の子供を対象とする遊び心を持った子供文房具としても利用することができる優れた効果を奏する。
【００３６】
また本発明に係るＵ型ゼムクリップによれば、所定間隔を延長して横長ゼムクリップとしたり、所定間隔をバインダーの綴じ込みロッドに挿入可能に延長したＵ型ゼムクリップの二つの支承折り返し部に、括れ部を有する円環部を設けて横長円環付きＵ型ゼムクリップとすることで、紙葉または書類を其々のＵ型ゼムクリップで綴じた状態で、直接バインダーに綴じ込むことができる優れた効果を奏する。
【図面の簡単な説明】
【００３７】
【図１】本発明に係る請求項１記載のＵ型ゼムクリップを示す説明図である。（実施例１）
【図２】本発明に係る請求項２記載のＵ型ゼムクリップを示す説明図である。（実施例２）
【図３】本発明に係る請求項３記載のＵ型ゼムクリップを示す説明図である。（実施例３）
【図４】本発明に係る請求項４記載のＵ型ゼムクリップを示す説明図である。（実施例４）
【図５】本発明に係る請求項５記載のＵ型ゼムクリップを示す説明図である。（実施例５）
【図６】本発明に係る請求項６記載のＵ型ゼムクリップを示す説明図である。（実施例６）
【図７】本発明に係る請求項７記載のＵ型ゼムクリップを示す説明図である。（実施例７）
【図８】本発明に係る請求項７記載のＵ型ゼムクリップの製造工程の一例を示す説明図である。
【図９】本発明に係る請求項７記載のＵ型ゼムクリップの別の実施形態を示す説明図である。
【図１０】従来のゼムクリップの実施形態を示す説明図である。
【発明を実施するための形態】
【００３８】
本発明のＵ型ゼムクリップは、弾性を有する１本の金属線材をエンドレス状に連接してなるＵ型ゼムクリップであって、該Ｕ型ゼムクリップは、折曲することによって略Ｕ字状に形成される上面狭持部と背面狭持部を、所定間隔を有する二つの支承折り返し部で連結し、上面狭持部と背面狭持部との二面で紙葉の裏表面を狭持すると共に、支承折り返し部を紙葉の端部に突き当てて二点支持することで、簡易的に狭持される紙葉が安定的に保持される構成を採用したことを最大の特徴とするものである。以下、本発明を実施するための実施形態を図面を基に説明する。
【００３９】
本発明のＵ型ゼムクリップにおける上面狭持部と背面狭持部と支承折り返し部の形状は、下記に述べる実施例に特に限定されるものではなく、本発明の技術的思想に逸脱しない範囲内で任意に変更することができる。
【実施例１】
【００４０】
図１は、本発明に係る請求項１記載のゼムクリップを示す説明図である。
図１（a）はＵ型ゼムクリップ１の全体斜視図を示し、図１（b）は平面図を示し、図１（c）は側面図を示す。
本発明におけるＵ型ゼムクリップ１は、弾性を有する１本の金属線材４０をエンドレス状に連接してなるＵ型ゼムクリップ１であって、該Ｕ型ゼムクリップ１は、折曲することによって略Ｕ字状に形成される上面狭持部１０と背面狭持部２０とを、所定間隔Ｌを有する二つの支承折り返し部３０で連結して成り、該支承折り返し部３０を、上面狭持部１０と背面狭持部２０が形成する水平面に対して垂直方向に折り返し、上面狭持部１０と、該上面狭持部１０に対して相似形状を形成すると共に、略Ｕ字状の先端部２１を内側に形成して前記上面狭持部１０に付勢する前記背面狭持部２０と、を段差状に設けて成り、上面狭持部１０と背面狭持部２０との二面で紙葉や書面Ｐの裏表面を狭持すると共に、支承折り返し部３０を紙葉や書面Ｐの端部に突き当てて二点支持することで、簡易的に狭持される紙葉や書面Ｐが安定的に保持されて形成される。
【００４１】
上面狭持部１０は、折曲することによって略Ｕ字状に形成されるもので、差込時には先端部１１を紙葉または書類Ｐの端部に引っ掛けて指先で反らした状態で上面狭持部１０を広げて使用されるものである。また、先端部１１の形状としては、Ｖ字状、台形、四角、変形三角形等とすることもできる。
【００４２】
背面狭持部２０は、上面狭持部１０に対して相似形状を形成すると共に、略Ｕ字状の先端部２１を内側に形成して前記上面狭持部１０に付勢するように形成される。狭持時においては、上面狭持部１０と段差状に設けて挟まれる紙葉または書類Ｐの狭持力を維持するものである。
【００４３】
支承折り返し部３０は、上面狭持部１０と背面狭持部２０を、所定間隔Ｌを有する二つの折り返し部で連結し、上面狭持部１０と背面狭持部２０が形成する水平面に対して直角方向に折り返すことによって、厚手の大量枚数の紙葉または書類Ｐの狭持力を維持するものである。例えば、紙葉または書類Ｐの枚数が20枚単位で2ｍｍ程度の隙間幅で設けられ、線径を0.1ｍｍ単位で太くし、極小、小、中、大、特大の5段階巾に分けられたＵ型ゼムクリップとして使用されるものである。
【００４４】
金属線材４０は、弾性を有する１本の金属性の線材からなり、末端部４１同士を突き合わせてエンドレス状に成型されるものである。素材形状は、上面狭持部１０と背面狭持部２０のとの段差幅に比例して線径0.8〜1.3ｍｍ前後の金属性の線材が使用される。また、本実施例では１本の線材の末端部同士を突き合わせてエンドレス状に成型しているが、金属線材４０をそのものをリング状とすることによって弾性復元力を高めたり、突き出ている末端部４１が指に刺さったりしない安全性を高めることができる。
【００４５】
図１（ｄ）はＵ型ゼムクリップ１の使用状態図を示す。
上面狭持部１０と背面狭持部２０を段差状に設けることによって、上面狭持部１０と背面狭持部２０との二面で紙葉または書類Ｐの綴じ代の裏表面を狭持すると共に、支承折り返し部３０を紙葉または書類Ｐの綴じ代の端部に突き当てて二点支持することで、簡易的に狭持される紙葉または書類Ｐが安定的に保持されるものである。
【００４６】
図１（e）ならびに図１（ｆ）はＵ型ゼムクリップ１の別の使用状態図を示す。
上面狭持部１０と背面狭持部２０を段差状に設けることによって、上面狭持部１０と背面狭持部２０との内側の二面で紙葉または書類Ｐの角面の裏表面を狭持すると共に、支承折り返し部３０を紙葉または書類Ｐの角面の端部に突き当てて二点支持することで、簡易的に狭持される紙葉または書類Ｐが安定的に保持されるものである。さらに、図１（ｆ）に示すように、Ｕ型ゼムクリップ１の巾寸法を幅広にすることで、紙葉または書類Ｐの角面の端部が上面狭持部１０の内側に幅広に当接され、一層安定的に保持されるものである。
【実施例２】
【００４７】
図２は、本発明に係る請求項２記載のＵ型ゼムクリップを示す説明図である。
図２（a）はＵ型ゼムクリップ１の全体斜視図を示し、図２（b）は平面図を示し、図２（c）は側面図を示す。
本発明におけるＵ型ゼムクリップ１は、弾性を有する１本の金属線材４０をエンドレス状に連接してなるＵ型ゼムクリップであって、該Ｕ型ゼムクリップは、折曲することによって略Ｕ字状に形成される上面狭持部１０と背面狭持部２０の末端部４１を、所定間隔Ｌを有する二つの支承折り返し部３０で連結されて形成され、該支承折り返し部３０を上面狭持部１０と背面狭持部２０が形成する水平面に対して水平方向に折り返し、上面狭持部１０と、該上面狭持部１０に対して内包して相対的に小さく設けられる背面狭持部２０と、を同一平面上に設けて構成される。
【００４８】
上面狭持部１０は、折曲することによって略Ｕ字状に形成されるもので、差込時には上面狭持部１０の先端部１１を紙葉または書類Ｐの端部に引っ掛けて指先で反らした状態で使用されるものである。また、先端部１１の形状としては、Ｖ字状、台形、四角、変形三角形などとすることもできる。
【００４９】
背面狭持部２０は、上面狭持部１０に対して内包して相対的に小さく設けられると共に、同一平面上に形成し、さらに略Ｕ字状の先端位置２１を内側に形成される。狭持時においては上面狭持部１０と同一平面上に設けて挟まれる紙葉または書類Ｐの狭持力を維持するものである。
【００５０】
金属線材４０は、弾性を有する１本の金属性の線材からなり、末端部４１同士を突き合わせてエンドレス状に成型されるものである。素材形状は、線径0.8〜1.3ｍｍの金属性の線材が使用されるものである。また、本実施例では１本の金属線材の末端部同士を突き合わせてエンドレス状に成型しているが、金属線材４０をそのものをリング状とすることによって弾性復元力を高めたり、突き出ている末端部４１が指に刺さったりしない安全性を高めることができる。
【００５１】
差し込み隙間４２は、上面狭持部１０と背面狭持部２０の長手方向の間に形成され、差込み時に上面狭持部１０と背面狭持部２０の傾斜挿入部１２，２２を確保するために必要なもので、小さい力で差し込むには上面狭持部１０より背面狭持部２０が内側に設けられることが必要条件となる。
【００５２】
隙間４３は、上面狭持部１０と背面狭持部２０の幅方向の間に形成され、狭持される紙葉または書類Ｐの厚みによって隙間幅が変更される。例えば、紙葉または書類Ｐの枚数が2〜15枚の場合は、隙間幅が0〜1.5ｍｍ、線径が0.8ｍｍのＵ型ゼムクリップが使用されるものである。
【００５３】
図２（ｄ）はＵ型ゼムクリップ１の使用状態図を示す。
上面狭持部１０と背面狭持部２０との二面で紙葉または書類Ｐの裏表面を狭持すると共に、支承折り返し部３０を紙葉または書類Ｐの綴じ代の端部に突き当てて二点支持することで、簡易的に狭持される紙葉または書類Ｐが安定的に保持されるものである。
【００５４】
図２（e）ならびに図２（ｆ）はＵ型ゼムクリップ１の別の使用状態図を示す。
上面狭持部１０と背面狭持部２０との内側の二面で紙葉または書類Ｐの裏表面を狭持すると共に、支承折り返し部３０を紙葉または書類Ｐの角面の端部に突き当てて二点支持することで、簡易的に狭持される紙葉または書類Ｐが安定的に保持されるものである。さらに、図２（ｆ）に示すように、Ｕ型ゼムクリップ１の巾寸法を幅広にすることで、紙葉または書類Ｐの角面の端部が上面狭持部１０の内側に幅広に当接され、一層安定的に保持されるものである。
【実施例３】
【００５５】
図３は、本発明に係る請求項３記載のＵ型ゼムクリップを示す説明図である。
図３（a）は請求項１記載のＵ型ゼムクリップを円環付きＵ型ゼムクリップ４とした全体斜視図を示す。
本発明におけるＵ型ゼムクリップ１は、背面狭持部２０の先端部２１を、二つの支承折り返し部３０の間を抜けて後方に折り返し、該折り返した端部に括れ部３２を有する円環部３１を設けて円環付きＵ型ゼムクリップ４とした段差状のゼムクリップである。
【００５６】
図３（ｂ）は請求項１記載のＵ型ゼムクリップを円環付きＵ型ゼムクリップ４とした使用状態図を示す。
本発明の円環付きＵ型ゼムクリップ４をバインダーＢの綴じ込みロッドＲに挿入可能に綴じ込むことによって、紙葉や書類Ｐに綴じ込み用の穴を空けることなく綴じ込みロッド付きのバインダーＢに容易に綴じ込むことができるものである。
【００５７】
図３（ｃ）は請求項２記載のＵ型ゼムクリップを円環付きＵ型ゼムクリップ４とした全体斜視図を示す。
本発明におけるＵ型ゼムクリップ１は、背面狭持部２０の先端部２１を支承折り返し部３０の後方まで折り返し、所定間隔ＬをバインダーＢの綴じ込みロッドＲに挿入可能に延長した二つの支承折り返し部３０に、括れ部３２を有する円環部３１を設けて円環付きＵ型ゼムクリップ４とした平面状のゼムクリップである。
【００５８】
図３（ｄ）は請求項２記載のＵ型ゼムクリップを円環付きＵ型ゼムクリップ４とした使用状態図を示す。
本発明の円環付きＵ型ゼムクリップ４をバインダーＢの綴じ込みロッドＲに挿入可能に綴じ込むことによって、紙葉や書類Ｐに綴じ込み用の穴を空けることなく綴じ込みロッド付きのバインダーＢに容易に綴じ込むことができるものである。
【実施例４】
【００５９】
図４は、本発明に係る請求項４記載のＵ型ゼムクリップを示す説明図である。
図４（a）はＵ型ゼムクリップを横長Ｕ型ゼムクリップ２とした全体斜視図を示し、図４（b）は平面図を示し、図４（c）は側面図を示す。
本発明におけるＵ型ゼムクリップ１は、弾性を有する１本の金属線材４０をエンドレス状に連接してなるゼムクリップであって、該横長Ｕ型ゼムクリップ２は、折曲することによって略Ｕ字状に形成される上面狭持部１０と背面狭持部２０を、所定間隔ＬをバインダーＢの綴じ込みロッドＲの略寸法幅に延長した二つの支承折り返し部３０で連結されて形成される。また、枚数の多い厚みのある紙葉または書類Ｐを綴じ込むため、金属線材４０の線径を太くして幅広く折曲すると共に、支承折り返し部３０を垂直厚み方向に折り返すことによって、上面狭持部１０と背面狭持部２０とが段差状に形成される横長Ｕ型ゼムクリップ２としたゼムクリップである。
【００６０】
上面狭持部１０が幅広に折曲されて成型されるもので、差込時においては、上面狭持部１０の先端部１１を紙葉または書類Ｐの端部に引っ掛けて指先で反らした状態で使用されるものである。また、先端部１１の形状としては、長方形の他に長楕円形、四角形、台形などとすることもできる。
【００６１】
背面狭持部２０は、上面狭持部１０に対して横幅を同じくして相対的に小さく設けられると共に、上面狭持部１０と段差状に形成される。差込時においては上面狭持部１０の先端部１１を紙葉または書類Ｐの端部に引っ掛けて書類に差し込み、狭持時においては上面狭持部１０と段差状に相対して挟まれる紙葉または書類Ｐの狭持力を維持するものである。
【００６２】
支承折り返し部３０は、上面狭持部１０と背面狭持部２０が形成する水平面に対して垂直方向に折り返し、紙葉や書類Ｐの端部に突き当てて二点支持することで、簡易的に狭持される紙葉や書類Ｐが安定的に保持され、上面狭持部１０と背面狭持部２０を段差状に形成するものである。例えば、紙葉または書類Ｐの枚数が100枚程度である場合は、10ｍｍ程度の隙間幅を有し、線径1.3ｍｍ以上のＵ型ゼムクリップが使用されるものである。
【００６３】
金属線材４０は、弾性を有する１本の金属線材からなり、該末端部４１は、末端部同士を突き合わせてエンドレス状に成型されるものである。素材形状は、上面狭持部１０と背面狭持部２０の段差幅に比例して線径が1.3ｍｍ前後の金属性の線材が使用される。
【００６４】
図４（ｄ）は横長Ｕ型ゼムクリップ２の使用状態図を示す。
上面狭持部１０と背面狭持部２０とが幅広に折曲されて成型され、さらに上面狭持部１０と背面狭持部２０との二面で紙葉または書類Ｐの裏表面を狭持すると共に、支承折り返し部３０を紙葉または書類Ｐの端部に突き当てて二点支持することで、簡易的に狭持される紙葉または書類Ｐが安定的に保持されるものである。
【実施例５】
【００６５】
図５は、本発明に係る請求項５記載のＵ型ゼムクリップを示す説明図である。
図５（a）はＵ型ゼムクリップを横長円環付きＵ型ゼムクリップ３とした全体斜視図を示し、図５（b）は平面図を示し、図５（c）は側面図を示す。
本発明におけるＵ型ゼムクリップ１は、所定間隔ＬをバインダーＢの綴じ込みロッドＲに挿入可能に延長した二つの支承折り返し部３０に、括れ部３２を有する円環部３１を設けて横長円環付きＵ型ゼムクリップ３としたゼムクリップである。
【００６６】
図５（ｄ）は横長円環付きＵ型ゼムクリップ３の使用状態図を示す。
本発明の横長円環付きＵ型ゼムクリップ３をバインダーＢの綴じ込みロッドＲに挿入可能にすることによって紙葉や書類Ｐに綴じ込み用の穴を空けることなく綴じ込みロッド付きのバインダーＢに容易に綴じ込むことができるものである。
【実施例６】
【００６７】
図６は、本発明に係る請求項７記載のＵ型ゼムクリップを示す説明図である。
図６（a）は請求項１のＵ型ゼムクリップ１の側面図を示し、図６（b）は請求項２のＵ型ゼムクリップ１の側面図を示す。
本発明のＵ型ゼムクリップ１は、背面狭持部２０の略Ｕ字状の先端部２１を外側方向に傾斜させることによって、上面狭持部１０と背面狭持部２０との間に形成される差し込み隙間４２の入り口を拡張させて形成される。
【００６８】
差し込み隙間４２は、背面狭持部２０の先端部２１を傾斜させ、さらに傾斜挿入部１２，２２を形成して上面狭持部１０との厚み方向の差込み隙間４２を確保する周知技術を利用した方法を採ったものである。
【実施例７】
【００６９】
図７は、本発明に係る請求項７記載のＵ型ゼムクリップを示す説明図である。
図７（a）はＵ型ゼムクリップ１の全体斜視図を示し、図７（b）は平面図を示し、図７（c）は側面図を示す。
本発明におけるＵ型ゼムクリップ１は、弾性を有する１本の金属線材４０からなるＵ型ゼムクリップ１であって、上面狭持部１０の折曲形状を自由形状とすると共に、背面狭持部２０の折曲形状を上面狭持部１０の内側に近接させ、相対的に小さく設けられる任意形状に形成して構成される。
【００７０】
上面狭持部１０は、外郭形状をハート形やキャラクターの輪郭を模った自由形状とすることで、一般事務用品としての用途の他に簡単なメッセージを形状で表すコミュニケーショングッズとしてや、ノートや書籍の栞としてや、ネクタイ止めや、襟やポケット口に何気なく飾られる針金アクセサリーとしてや、カラー樹脂コーティングを施して低年齢の子供を対象とした遊び心を持った子供文房具としても利用することができる。
【００７１】
背面狭持部２０は、外郭形状の自由形状に準じた隙間４３を有する任意形状に形成して構成されるもので、上面狭持部１０の内郭形状内であればその形状は特に制約されるものではない。
【００７２】
差込み隙間４２は、上面狭持部１０と背面狭持部２０の略Ｕ字状の先端部１１間に形成されるもので、上面狭持部１０の側面方向に形成される側面隙間４３は、狭持される紙葉または書類Ｐの厚さによって設定され、差込時の上面狭持部１０と背面狭持部２０の開き角度にあわせて設定されるものである。
【００７３】
図８は、本発明に係る請求項７記載のＵ型ゼムクリップの製造工程の一例を示す説明図である。
（1）所定の長さの弾性を有する１本の金属線材４０を用意する。
（2）プレス機で１本の金属線材４０を円環状（エンドレス状）に成型する。
（3）所定の形状のプレス成型枠Ｓに金属線材４０をセットし、外方向からプレス圧Ｗをかけて所定の形状にプレスする。
（4）支承折り返し部３０を中心に折り返した状態で成型してハート形のゼムクリップ１に成型して仕上げる。
【００７４】
図９は、本発明に係る請求項７記載のＵ型ゼムクリップの別の実施形態を示す説明図である。(a) 上面狭持部１０の折曲形状をハート形の形状にしたもので、例えば、友達同士のコミニュケーショングッズとしてノートや書籍に挟んで使用することができる。
(b) 上面狭持部１０の折曲形状を初心者マークの形状にしたもので、例えば、書籍などの読み掛け部の栞のとして使用することができる。
(c) 上面狭持部１０の折曲形状を動物のキャラクターの形状にしたもので、例えば、ポケットや襟口に掛けてシンプルな針金アクセサリーと使用することができる。
(d)〜(f) 上面狭持部１０の折曲形状を図形形状としたもので、例えば、提出する書類の出来栄えを○☆×マークでやんわりと評価する評価伝達マークとして使用することができる。
【００７５】
以上のように本発明のＵ型ゼムクリップ１の上面狭持部１０の折曲形状を図形形状、模様形状、キャラクター形状などにすることにより、一般事務用品から遊び心を有する針金アクセサリーとしてやファッショングッズとしてや、コミュニケーショングッズとして利用することができるものである。
【００７６】
図１０は、従来のゼムクリップの実施形態を示す説明図である。
図１０（a）は従来のゼムクリップ１００の使用中における回転状態を示す。
従来のゼムクリップ１００を使用する場合、紙葉または書類Ｐの紙端とゼムクリップ上方の折り返しの頂点部Ｆの内側を支点として図に示すように回転してしまうため、紙葉または書類Ｐをしっかりと綴じ込むことができないものである。
【００７７】
図１０（b）は従来のゼムクリップ１００の使用中における変形状態を示す。
枚数の多い厚手の紙葉または書類Ｐを従来のゼムクリップ１００で綴じ込もうとすると、4本の針金で線状に狭持される構造であるため、クリップが変形してしまうことから確実に綴じ込むことができないものである。
【産業上の利用可能性】
【００７８】
本発明のＵ型ゼムクリップは、簡易的に挟み込まれる紙葉の嵩張りや紙ズレ現象を防止するゼムクリップを実施例として説明しているが、その他の利用方法としては、メッセージを簡単な形状で表すコミュニケーショングッズとしてや、ノートや書籍の栞としてや、ネクタイ止めや、襟やポケット口に何気なく飾られる針金アクセサリーとしてや、カラー樹脂コーティングを施して低年齢の子供を対象とする遊び心を持った子供文房具としても広く利用することができるもので、本発明のＵ型ゼムクリップの産業上の利用可能性は大とするものと解する。
【符号の説明】
【００７９】
１    Ｕ型ゼムクリップ
２    横長Ｕ型ゼムクリップ
３    横長円環付きＵ型ゼムクリップ
４    円環付きＵ型ゼムクリップ
１０  上面狭持部
１１  略Ｕ字状の先端部
１２  傾斜挿入部
２０  背面狭持部
２１  略Ｕ字状の先端部
２２  傾斜挿入部
３０  支承折り返し部
３１  円環部
３２  括れ部
４０  金属線材
４１  末端部
４２  差し込み隙間
４３  側面隙間
１００従来のゼムクリップ
Ｐ    紙葉または書類
Ｓ    プレス成型枠
Ｗ    プレス圧
Ｌ    所定間隔
Ｒ    綴じ込みロッド
Ｆ    頂点部
Ｂ    バインダー
【図１】
2011152806.tif 000003
【図２】
2011152806.tif 000004
【図３】
2011152806.tif 000005
【図４】
2011152806.tif 000006
【図５】
2011152806.tif 000007
【図６】
2011152806.tif 000008
【図７】
2011152806.tif 000009
【図８】
2011152806.tif 000010
【図９】
2011152806.tif 000011
【図１０】
2011152806.tif 000012